(57)【要約】【課題】視聴者が実際に映像を視聴する環境において、光感受性発作を引き起こす可能性のある映像の区間を検出することが可能なフリッカ映像検出装置を提供する。【解決手段】フリッカ映像検出装置６は、画素値に対応する輝度値を特定する輝度値特定手段６２と、実際の視距離において、表示領域の大きさに対する基準比率分の画素数を判定基準画素数として算出する判定基準画素数算出手段６４と、隣接フレームにおいて対応する画素の輝度値の差が、基準輝度差以上となる画素の数を大輝度差画素数として累計する大輝度差画素数累計手段６６と、大輝度差画素数と判定基準画素数とにより、当該フレームが視覚上不適正な輝度変化が発生するフレームであるか否かを判定する不適正フレーム判定手段６７と、光感受性発作を引き起こす可能性のある映像の時間区間を検出する不適正区間検出手段６８と、を備えることを特徴とする。【選択図】図３
2007194741.tif 000002
【特許請求の範囲】
【請求項１】
視覚上不適正な輝度変化として予め定めた不適正基準と、現実の視聴環境である映像表示装置の輝度特性、表示領域の大きさ及び視距離とに基づいて、前記映像表示装置に表示する映像から、光感受性発作を引き起こす可能性のある映像の区間を検出するフリッカ映像検出装置であって、
前記輝度特性に基づいて、画素値に対応する輝度値を特定する輝度値特定手段と、
前記不適正基準であって、基準視距離と、基準表示領域の大きさと、当該基準表示領域の大きさに対して隣接フレーム間の輝度差が基準輝度差以上となる画素の基準比率とに基づいて、前記視距離において、前記表示領域の大きさに対して前記基準比率となる画素数を判定基準画素数として算出する判定基準画素数算出手段と、
フレームごとに、隣接フレームにおいて対応する画素の輝度値の差が、前記基準輝度差以上となる画素の数を大輝度差画素数として累計する大輝度差画素数累計手段と、
この大輝度差画素数累計手段で累計された大輝度差画素数と、前記判定基準画素数算出手段で算出された判定基準画素数とを比較することで、前記フレームが、前記視覚上不適正な輝度変化を発生するフレームであるか否かを判定する不適正フレーム判定手段と、
この不適正フレーム判定手段で前記視覚上不適正な輝度変化が発生するフレームであると判定されたフレームの数が、所定時間内に、予め定めた基準回数を超過するか否かを判定することで、前記光感受性発作を引き起こす可能性のある映像の時間区間を検出する不適正区間検出手段と、
を備えていることを特徴とするフリッカ映像検出装置。
【請求項２】
映像を表示する映像表示装置において、
入力された映像から、光感受性発作を引き起こす可能性のある映像の時間区間を検出する請求項１に記載のフリッカ映像検出装置と、
このフリッカ映像検出装置によって検出された時間区間において、当該時間区間内の映像について出力を制御する出力制御手段と、
を備えていることを特徴とする映像表示装置。
【請求項３】
視覚上不適正な輝度変化として予め定めた不適正基準と、現実の視聴環境である映像表示装置の輝度特性、表示領域の大きさ及び視距離とに基づいて、前記映像表示装置に表示する映像から、光感受性発作を引き起こす可能性のある映像の区間を検出するために、コンピュータを、
前記輝度特性に基づいて、画素値に対応する輝度値を特定する輝度値特定手段、
前記不適正基準であって、基準視距離と、基準表示領域の大きさと、当該基準表示領域の大きさに対して隣接フレーム間の輝度差が基準輝度差以上となる画素の基準比率とに基づいて、前記視距離において、前記表示領域の大きさに対して前記基準比率となる画素数を判定基準画素数として算出する判定基準画素数算出手段、
前記フレームごとに、隣接フレームにおいて対応する画素の輝度値の差が、前記基準輝度差以上となる画素の数を大輝度差画素数として累計する大輝度差画素数累計手段、
この大輝度差画素数累計手段で累計された大輝度差画素数と、前記判定基準画素数算出手段で算出された判定基準画素数とを比較することで、前記フレームが、前記視覚上不適正な輝度変化を発生するフレームであるか否かを判定する不適正フレーム判定手段、
この不適正フレーム判定手段で前記視覚上不適正な輝度変化が発生するフレームであると判定されたフレームの数が、所定時間内に、予め定めた基準回数を超過するか否かを判定することで、前記視覚上不適正な輝度変化が発生する映像の時間区間を検出する不適正区間検出手段、
として機能させることを特徴とするフリッカ映像検出プログラム。
【請求項４】
視覚上不適正な輝度変化として予め定めた不適正基準と、現実の視聴環境である映像表示装置の輝度特性とに基づいて、前記映像表示装置に表示する映像から、視覚上不適正な輝度差となる画素数を算出する不適正輝度画素数算出方法であって、
輝度値特定手段により、前記輝度特性に基づいて、画素値に対応する輝度値を特定する輝度値特定ステップと、
大輝度差画素数累計手段により、フレームごとに、隣接フレーム間の同一座標の画素の輝度差が基準輝度差以上となる画素の数を、前記視覚上不適正な輝度差となる画素数として累計する大輝度差画素数累計ステップと、
を含んでいることを特徴とする不適正輝度画素数算出方法。
【請求項５】
視覚上不適正な輝度変化として予め定めた不適正基準と、現実の視聴環境である映像表示装置の輝度特性、表示領域の大きさ及び視距離とに基づいて、前記映像表示装置に表示する映像から、視覚上不適正な輝度変化を検出するフリッカ検出方法であって、
判定基準画素数算出手段により、フレームごとに、基準視距離と、基準表示領域の大きさと、当該基準表示領域の大きさに対して隣接フレーム間の輝度差が基準輝度差以上となる画素の基準比率とに基づいて、前記視距離において、前記表示領域の大きさに対して前記基準比率となる画素数を判定基準画素数として算出する判定基準画素数算出ステップと、
不適正フレーム判定手段により、フレームごとに、隣接フレームにおいて対応する画素の輝度値の差が、前記基準輝度差以上となる画素の数と、前記判定基準画素数算出ステップで算出された判定基準画素数とを比較することで、前記フレームが、前記視覚上不適正な輝度変化を発生するフレームであるか否かを判定する不適正フレーム判定ステップと、
を含んでいることを特徴とするフリッカ検出方法。
【発明の詳細な説明】
【技術分野】
【０００１】
本発明は、光感受性発作を引き起こす可能性のある映像の検出を行うフリッカ映像検出装置及びそのプログラム、並びに、映像表示装置に関する。
【背景技術】
【０００２】
近年、テレビ番組を視聴した視聴者が、けいれんを起こしたり、気分が悪くなったり等の症状を発症した問題に端を発し、光感受性発作を引き起こさない映像を制作するためのガイドラインが策定され、光感受性発作を引き起こす可能性のある映像を検出する検出装置が開発されている。
例えば、英国の独立テレビジョン委員会（ＩＴＣ：Independent Television Commission）が策定した２００１年版のＩＴＣガイドライン（「ITC Guidance Note for Licensees on Flashing Image and Regular Patterns in Television」,1994,1998,2001-2002）を基準として、光感受性発作を引き起こす可能性のある映像を検出する装置（ＨａｒｄｉｎｇＦＰＡ：The Harding Flash and Pattern Analyzer；以下、ハーディングマシンという）が開発されている（非特許文献１参照）。
【０００３】
また、例えば、日本放送協会と社団法人日本民間放送連盟とが策定したガイドライン（「アニメーション等の映像手法に関するガイドライン」,1998）を基準として、光感受性発作を引き起こす可能性のある映像を検出する装置（参考計測器）が開発されている（非特許文献２参照）。
このハーディングマシンや参考計測器は、１秒間に３回を超える点滅（輝度フリッカ）や、赤色の点滅（赤フリッカ）の検出を、動き補償しながら行っている。
また、これらの検出装置以外にも、映像内のフリッカの継続時間や、周波数成分等の解析を行う映像解析システムが開示されている（特許文献１参照）。
【０００４】
なお、２００５年２月には、ＩＴＵ−Ｒ（International Telecommunication Union-Radiocommunication Sector；国際電気通信連合無線通信部門）によって、ＩＴＵ−Ｒ勧告ＢＴ．１７０２が定められた。この勧告では、本文には明記されていないものの、Ａｐｐｅｎｄｉｘ（付録）として、点滅の輝度差が２０ｃｄ／ｍ２（１平方メートルあたり２０カンデラ）以上で、かつ、点滅領域の面積が画面全体の２５％を超える点滅が１秒間に３回（輝度変化の回数としては６回）以上生じている場合、光感受性発作を引き起こす可能性が高いとしている。
【非特許文献１】“ハーディングＦＰＡホームページ”、［online］、［平成１８年１月１１日検索］、インターネット＜http://www.hardingfpa.co.uk＞
【非特許文献２】江本、大塚、山賀、上原、井口、伊藤、藤井、“アニメ番組等ガイドライン対応「参考計測器」の開発”、映像情報メディア学会技術報告，２２，Ｎｏ．４０，ｐｐ．１−６（１９９８）
【特許文献１】特開平１１−２９５３６０号公報（段落００１３〜００４３）
【発明の開示】
【発明が解決しようとする課題】
【０００５】
前記したＩＴＣガイドラインやＩＴＵ−Ｒ勧告ＢＴ．１７０２に従って、映像が、光感受性発作を引き起こす可能性が高い映像であるか否かを判定するには、隣接するフレームの同じ位置の画素の輝度差が２０ｃｄ／ｍ２以上であるか否かの判定や、輝度差が２０ｃｄ／ｍ２以上の領域が画面の２５％を超えるか否かの判定を行う必要がある。
【０００６】
このフレームの同じ位置の画素の輝度差が２０ｃｄ／ｍ２以上であるか否かの判定において、従来の検出装置は、白色最高輝度２００ｃｄ／ｍ２、ガンマ値“２．２”の標準ディスプレイを想定し、輝度差の判定を映像信号のレベルで行っている。しかし、近年、ディスプレイには、プラズマディスプレイ、液晶テレビ等、種々の表示装置が使用されている。これらの表示装置は、必ずしも標準ディスプレイと同じ最高輝度やガンマ値であるとは限らない。このため、従来の検査装置において、輝度差が２０ｃｄ／ｍ２未満であると判定された映像であっても、実際の視聴状況においては、２０ｃｄ／ｍ２以上となる場合があり、光感受性発作を引き起こす可能性があるという問題がある。
【０００７】
また、輝度差が２０ｃｄ／ｍ２以上の領域が画面の２５％を超えるか否かの判定において、従来の検出装置は、対角２５インチの表示装置で視距離が２ｍという標準観視条件のもとで判定を行っている。一方、光感受性発作を引き起こす点滅領域の大きさは、その点滅光が刺激する人間の視細胞の数で決まるとされている。すなわち、光感受性発作を引き起こす点滅領域の大きさの判定は、物理的な点滅領域の大きさで決められるものではなく、視聴者が視聴している場所から点滅領域がなす角度の大きさで決める必要がある。この視聴者が視聴している場所から点滅領域がなす角度の大きさは、表示装置の表示領域の大きさや視距離によって異なる。このため、従来の検査装置において、輝度差が２０ｃｄ／ｍ２以上の領域が画面の２５％未満であると判定された映像であっても、実際の視聴状況においては、視聴者が視聴している場所から点滅領域がなす角度の大きさが異なるため、光感受性発作を引き起こす可能性があるという問題がある。
【０００８】
本発明は、以上のような問題点に鑑みてなされたものであり、視聴者が実際に映像を視聴する環境において、光感受性発作を引き起こす可能性のある映像を検出することが可能なフリッカ映像検出装置、フリッカ映像検出プログラム、映像表示装置、不適正輝度画素数算出方法及びフリッカ検出方法を提供することを目的とする。
【課題を解決するための手段】
【０００９】
本発明は、前記目的を達成するために創案されたものであり、まず、請求項１に記載のフリッカ映像検出装置は、視覚上不適正な輝度変化として予め定めた不適正基準と、現実の視聴環境である映像表示装置の輝度特性、表示領域の大きさ及び視距離とに基づいて、前記映像表示装置に表示する映像から、光感受性発作を引き起こす可能性のある映像の区間を検出するフリッカ映像検出装置であって、輝度値特定手段と、判定基準画素数算出手段と、大輝度差画素数累計手段と、不適正フレーム判定手段と、不適正区間検出手段とを備える構成とした。
【００１０】
かかる構成において、フリッカ映像検出装置は、輝度値特定手段によって、映像表示装置の固有の輝度特性に基づいて、画素値に対応する輝度値を特定する。この輝度特性は、例えば、最高輝度値やガンマ値である。これによって、映像を表示する際の表示領域の各画素の画素値が、実際の輝度値に対応付けられることになる。
【００１１】
また、フリッカ映像検出装置は、判定基準画素数算出手段によって、不適正基準であって、基準視距離と、基準表示領域の大きさと、当該基準表示領域の大きさに対して隣接フレーム間の輝度差が基準輝度差以上となる画素の基準比率とに基づいて、現実の視距離において、映像表示装置の表示領域の大きさに対して基準比率となる画素数を判定基準画素数として算出する。これによって、これらの基準が、実際の視聴環境に応じた基準に変換されることになる。なお、基準視距離、基準表示領域の大きさ、基準輝度差及び基準比率は、予め定められた基準であって、例えば、ＩＴＵ−Ｒ勧告ＢＴ．１７０２で勧告されているようなガイドラインで示されている基準値を用いることができる。
【００１２】
そして、フリッカ映像検出装置は、大輝度差画素数累計手段によって、フレームごとに、隣接フレームにおいて対応する画素の輝度値の差が、基準輝度差以上となる画素の数を大輝度差画素数として累計する。この大輝度差画素数が、判定基準画素数よりも多い場合、そのフレームは、実際の視聴環境において、視覚上不適正な輝度変化を発生しているといえる。
そこで、フリッカ映像検出装置は、不適正フレーム判定手段によって、大輝度差画素数と判定基準画素数とを比較することで、当該フレームが、視覚上不適正な輝度変化を発生するフレーム（不適正フレーム）であるか否かを判定する。
そして、フリッカ映像検出装置は、不適正区間検出手段によって、不適正フレーム判定手段で視覚上不適正な輝度変化が発生するフレームであると判定されたフレームの数が、所定時間内に、予め定めた基準回数を超過するか否かを判定することで、光感受性発作を引き起こす可能性のある映像の時間区間を検出する。なお、この所定時間や基準回数は、予め定められた基準であって、例えば、ＩＴＵ−Ｒ勧告ＢＴ．１７０２で勧告されているように、所定時間を１秒、基準回数を３回（輝度変化の回数としては６回）とする。
【００１３】
また、請求項２に記載の映像表示装置は、入力された映像から、光感受性発作を引き起こす可能性のある映像の時間区間を検出する請求項１に記載のフリッカ映像検出装置と、このフリッカ映像検出装置によって検出された時間区間において、当該時間区間内の映像について出力を制御する出力制御手段とを備える構成とした。
【００１４】
かかる構成において、映像表示装置は、フリッカ映像検出装置によって、光感受性発作を引き起こす可能性のある映像の時間区間を検出する。
そして、映像表示装置は、出力制御手段によって、フリッカ映像検出装置で検出された時間区間において、該当する時間区間内のフレームの出力を制御する。例えば、出力制御手段は、当該時間区間の直前のフレームを静止画表示するか、あるいは事前に決められた静止画を表示することにより、輝度変化がなくなることになる。
【００１５】
さらに、請求項３に記載のフリッカ映像検出プログラムは、視覚上不適正な輝度変化として予め定めた不適正基準と、現実の視聴環境である映像表示装置の輝度特性、表示領域の大きさ及び視距離とに基づいて、前記映像表示装置に表示する映像から、光感受性発作を引き起こす可能性のある映像の区間を検出するために、コンピュータを、輝度値特定手段、判定基準画素数算出手段、大輝度差画素数累計手段、不適正フレーム判定手段として機能させる構成とした。
【００１６】
かかる構成において、フリッカ映像検出プログラムは、輝度値特定手段によって、映像表示装置の固有の輝度特性に基づいて、画素値に対応する輝度値を特定する。
また、フリッカ映像検出プログラムは、判定基準画素数算出手段によって、不適正基準であって、基準視距離と、基準表示領域の大きさと、当該基準表示領域の大きさに対して隣接フレーム間の輝度差が基準輝度差以上となる画素の基準比率とに基づいて、現実の視距離において、映像表示装置の表示領域の大きさに対して基準比率となる画素数を判定基準画素数として算出する。
【００１７】
そして、フリッカ映像検出プログラムは、大輝度差画素数累計手段によって、フレームごとに、隣接フレームにおいて対応する画素の輝度値の差が、基準輝度差以上となる画素の数を大輝度差画素数として累計する。
そして、フリッカ映像検出プログラムは、不適正フレーム判定手段によって、大輝度差画素数と判定基準画素数とを比較することで、当該フレームが、視覚上不適正な輝度変化を発生するフレーム（不適正フレーム）であるか否かを判定する。
【００１８】
また、請求項４に記載の不適正輝度画素数算出方法は、視覚上不適正な輝度変化として予め定めた不適正基準と、現実の視聴環境である映像表示装置の輝度特性とに基づいて、前記映像表示装置に表示する映像から、視覚上不適正な輝度差となる画素数を算出する不適正輝度画素数算出方法であって、輝度値特定ステップと、大輝度差画素数累計ステップとを含むことを特徴とする。
【００１９】
かかる手順において、不適正輝度画素数算出方法は、輝度値特定ステップで、輝度値特定手段により、輝度特性に基づいて、画素値に対応する輝度値を特定する。これによって、映像を表示する際の表示領域の各画素の画素値が、実際の輝度値に対応付けられることになる。
そして、不適正輝度画素数算出方法は、大輝度差画素数累計ステップで、大輝度差画素数累計手段により、フレームごとに、隣接フレーム間の同一座標の画素の輝度差が基準輝度差以上となる画素の数を、視覚上不適正な輝度差となる画素数として累計する。
この累計された画素数が、実際に視聴者が視聴する映像表示装置において、視覚上不適正な輝度差となる画素の合計となる。
【００２０】
さらに、請求項５に記載のフリッカ検出方法は、視覚上不適正な輝度変化として予め定めた不適正基準と、現実の視聴環境である映像表示装置の輝度特性、表示領域の大きさ及び視距離とに基づいて、前記映像表示装置に表示する映像から、視覚上不適正な輝度変化を検出するフリッカ検出方法であって、判定基準画素数算出ステップと、不適正フレーム判定ステップとを含むことを特徴とする。
【００２１】
かかる手順において、フリッカ検出方法は、判定基準画素数算出手段により、フレームごとに、基準視距離と、基準表示領域の大きさと、当該基準表示領域の大きさに対して隣接フレーム間の輝度差が基準輝度差以上となる画素の基準比率とに基づいて、前記視距離において、前記表示領域の大きさに対して前記基準比率となる画素数を判定基準画素数として算出する。これによって、これらの基準が、実際の視聴環境に応じた基準に変換されることになる。
そして、フリッカ検出方法は、不適正フレーム判定手段により、フレームごとに、隣接フレームにおいて対応する画素の輝度値の差が、前記基準輝度差以上となる画素の数と、前記判定基準画素数算出ステップで算出された判定基準画素数とを比較することで、前記フレームが、前記視覚上不適正な輝度変化を発生するフレームであるか否かを判定する。
【発明の効果】
【００２２】
本発明は、以下に示す優れた効果を奏するものである。
請求項１又は請求項３に記載の発明によれば、実際に視聴者が視聴する映像表示装置の大きさや視距離が異なる視聴環境において、光感受性発作を引き起こす可能性が高い映像の時間区間を検出することができる。
【００２３】
請求項２に記載の発明によれば、実際に視聴者が視聴する映像表示装置の大きさや視距離が異なる視聴環境において、光感受性発作を引き起こす可能性が高い映像の時間区間を検出し、その時間区間のフレームの出力を停止することができるため、光感受性発作の発生を防止した映像を表示することができる。
【００２４】
請求項４に記載の発明によれば、実際に視聴者が視聴する映像表示装置において、視覚上不適正な輝度差となる画素の数を算出することができる。これによって、標準ディスプレイとは異なる映像表示装置であっても、適切に視覚上不適正な輝度差となる画素の数を算出することができる。
【００２５】
請求項５に記載の発明によれば、実際に視聴者が視聴する映像表示装置の大きさや視距離が異なる視聴環境において、光感受性発作を引き起こす可能性が高いフリッカを検出することができる。
【発明を実施するための最良の形態】
【００２６】
以下、本発明の実施の形態について図面を参照して説明する。
［映像表示装置の概要］
まず、図１を参照して、本発明に係る映像表示装置の概要について説明を行う。図１は、本発明に係る映像表示装置の概要を説明するための説明図である。映像表示装置１は、視覚上不適正な輝度変化が生じるフレームの表示を制御しながら、映像信号を再生し表示するものである。
ここでは、図１に示すように、映像表示装置１は、映像表示装置１が有する固有の輝度特性（最高輝度値Ｌｍａｘ、ガンマ値γ）と、表示領域Ｒの大きさと、視聴者Ｈとの距離（視距離ｄ）とに基づいて、ＩＴＣガイドライン等のガイドラインを、実際に視聴者Ｈが映像を視聴している環境に適応させる。
これによって、映像表示装置１は、映像（テレビ番組等）を制作する側ではなく、実際に映像を表示する側において、視聴環境に応じて、視覚上不適正な輝度変化を抑えることができるため、光感受性発作を引き起こさない映像を表示することができる。
【００２７】
［映像表示装置の構成］
次に、図２を参照（適宜図１参照）して、映像表示装置の構成について説明する。図２は、本発明に係る映像表示装置の構成を示すブロック図である。ここでは、映像表示装置１は、Ａ／Ｄ変換手段２と、フレームメモリ３と、Ｄ／Ａ変換手段４と、出力手段５と、フリッカ映像検出装置６と、出力制御手段７とを備えている。
【００２８】
Ａ／Ｄ変換手段２は、入力されたアナログ信号である映像信号を、デジタル信号に変換し、映像の表示単位であるフレーム（フレーム画像）ごとに、フレームメモリ３に記憶するものである。なお、Ａ／Ｄ変換手段２は、映像信号を、表示領域Ｒの画素（横ｘ画素、縦ｙ画素）ごとにサンプリングし、各画素の輝度を所定のレベルに量子化する。ここでは、そのレベルを画素値「０」〜「２５５」とする。
【００２９】
フレームメモリ３は、映像をフレーム単位で記憶するものであって、ビデオメモリ等の一般的な記憶手段である。なお、このフレームメモリ３は、後記するフリッカ映像検出装置６において、光感受性発作を引き起こす可能性のある映像の時間区間（不適正映像区間）を検出するため、複数のフレームを蓄積するバッファとして機能する。
【００３０】
Ｄ／Ａ変換手段４は、フレームメモリ３に記憶されているフレームを逐次読み出して、アナログ信号に変換し、出力信号として、出力手段５に出力するものである。なお、Ｄ／Ａ変換手段４は、フレームメモリ３に複数のフレームが記憶されている場合、順次読み出し位置を変えて、時系列にフレームを読み出すこととする。
【００３１】
出力手段５は、液晶ディスプレイ、プラズマディスプレイ、プロジェクタ、ＣＲＴ等の一般的な表示装置である。なお、ここで、映像表示装置１内に出力手段５を備えることとしているが、分離した構成とし、Ｄ／Ａ変換手段４が出力する出力信号を、外部に接続した液晶ディスプレイ等の表示装置（出力手段）に出力することとしてもよい。
【００３２】
フリッカ映像検出装置６は、映像から光感受性発作を引き起こす可能性のある映像の区間を検出するものである。なお、光感受性発作を引き起こす可能性のある映像の区間とは、視覚上不適正な輝度変化がある頻度以上で発生している映像区間をいう。ここでは、フリッカ映像検出装置６は、フレームメモリ３に記憶されているフレームを逐次読み出して、フレーム間の輝度変化に基づいて、視覚上不適正な輝度変化を発生しているフレームの開始と終了とを、不適正映像区間情報として出力する。なお、この不適正映像区間情報は、開始フレーム及び終了フレームを特定する情報であって、例えば、フレーム番号や、フレームメモリ３に記憶されているフレームのアドレス等である。
また、フリッカ映像検出装置６は、実際に視聴者Ｈが映像を視聴している環境である、映像表示装置１が有する固有の輝度特性（最高輝度値Ｌｍａｘ、ガンマ値γ）、表示領域Ｒの大きさ、視聴者Ｈとの距離（視距離ｄ）を視環境パラメータとし、その視環境パラメータに基づいて、映像から光感受性発作を引き起こす可能性のある映像の区間を検出する。このフリッカ映像検出装置６の詳細な構成については、後で説明を行う。
【００３３】
出力制御手段７は、フリッカ映像検出装置６で検出された光感受性発作を引き起こす可能性のある映像の区間において映像の出力を制御するものである。ここでは、出力制御手段７は、フリッカ映像検出装置６から不適正映像区間情報として、不適正フレームの開始が通知された段階で、フレームメモリ３からの読み出しを停止させることで、映像の出力を停止する。その後、出力制御手段７は、フリッカ映像検出装置６から不適正フレームの終了が通知された段階で、フレームメモリ３からの読み出しを開始させることで、映像の出力を再開する。これによって、不適正映像区間では、映像の出力が停止されることになる。
【００３４】
また、出力制御手段７は、フリッカ映像検出装置６から不適正映像区間情報として、不適正フレームの開始が通知された段階で、フレームメモリ３からの読み出し位置を固定させ、不適正フレームの終了が通知された段階で、読み出し位置を変えることとしてもよい。これによって、不適正映像区間では、同一のフレームが出力されることになる。
【００３５】
（フリッカ映像検出装置の詳細構成）
次に、図３を参照（適宜図１及び図２参照）して、図２で説明したフリッカ映像検出装置６の詳細な構成について説明する。図３は、本発明に係るフリッカ映像検出装置の構成を示すブロック図である。なお、このフリッカ映像検出装置６は、一例として、ＩＴＵ−Ｒ勧告ＢＴ．１７０２を、視聴者が実際に映像を視聴する環境に適応させることで、光感受性発作を引き起こす可能性のある映像の区間（時間区間〔不適正映像区間〕）を求めるものとする。
【００３６】
ここでは、フリッカ映像検出装置６は、視環境パラメータ設定手段６０と、視環境パラメータ記憶手段６１と、輝度値特定手段６２と、輝度値テーブル記憶手段６３と、判定基準画素数算出手段６４と、判定基準画素数記憶手段６５と、大輝度差画素数累計手段６６と、不適正フレーム判定手段６７と、不適正区間検出手段６８とを備えている。
【００３７】
視環境パラメータ設定手段６０は、視聴者Ｈが映像表示装置１を視聴する際の環境を特定するためのパラメータ（視環境パラメータ）を設定するものである。例えば、視環境パラメータ設定手段６０は、図示を省略したリモコン装置、キーボード等の入力装置を介して、視環境パラメータを入力されることで、視環境パラメータ記憶手段６１に視環境パラメータを記憶する。
【００３８】
視環境パラメータ記憶手段６１は、視環境パラメータを記憶するものであって、メモリ、ハードディスク等の一般的な記憶手段である。
この視環境パラメータ記憶手段６１には、視環境パラメータとして、出力手段５固有の輝度特性を示す値である最高輝度値Ｌｍａｘ、ガンマ値γ、表示領域Ｒの大きさ（対角長）及び映像表示装置１から視聴者Ｈまでの距離である視距離ｄを予め記憶しておく。
【００３９】
この最高輝度値Ｌｍａｘ、ガンマ値γ及び表示領域Ｒの大きさ（対角長）は、出力手段５に依存する特性値であるため、その特性値が既知である場合は、予め視環境パラメータ記憶手段６１に記憶しておく。また、出力手段５が別構成であって、その種類が変化する場合は、視聴者Ｈが、視環境パラメータ設定手段６０を介して、出力手段５の特性値を入力し、視環境パラメータ記憶手段６１に記憶することとする。
【００４０】
輝度値特定手段６２は、映像表示装置１の輝度特性に基づいて、フレームの画素値に対応する輝度値を特定するものである。例えば、輝度値特定手段６２は、視環境パラメータ記憶手段６１に記憶されている最高輝度値Ｌｍａｘ、ガンマ値γに基づいて、以下の（１）式に示すように、画素値ｐ（ｐ＝０〜２５５）に対する輝度値Ｌ（ｐ）を算出する。
【００４１】
【数１】
2007194741.tif 000003
【００４２】
ここでは、輝度値特定手段６２は、予めすべての画素値ｐに対して前記（１）式の計算を行い画素値ｐに対する輝度値Ｌ（ｐ）を、輝度値テーブルとして輝度値テーブル記憶手段６３に記憶しておくこととする。なお、輝度値特定手段６２は、フレームメモリ３にフレームが記憶されるたびにフレームごとに、算出することとしてもよい。
【００４３】
輝度値テーブル記憶手段６３は、輝度値特定手段６２で特定された画素値と輝度値とを対応付けた輝度値テーブルを記憶するものであって、メモリ、ハードディスク等の一般的な記憶手段である。
【００４４】
判定基準画素数算出手段６４は、視覚上不適正な輝度変化として予め定めた基準（不適正基準）に基づいて、フレームが視覚上不適正な輝度変化を起こしているか否かの判定基準となる画素数（判定基準画素数）を算出するものである。この判定基準画素数算出手段６４で算出された判定基準画素数は、判定基準画素数記憶手段６５に記憶される。
【００４５】
なお、ＩＴＵ−Ｒ勧告ＢＴ．１７０２では、視覚上不適正な輝度変化となる基準を、表示領域の大きさが対角２５インチの表示装置を、視距離２ｍで見たときに、フレーム間の点滅の輝度差が２０ｃｄ／ｍ２以上で、かつ、点滅領域の面積が表示領域全体の２５％を超える点滅が１秒間に３回以上生じている場合としている。
【００４６】
そこで、判定基準画素数算出手段６４は、２５インチ（２５×２．５４ｃｍ：基準表示領域の大きさ）、２ｍ（基準視距離）、２０ｃｄ／ｍ２（基準輝度差）、２５％（基準比率）を基準とし、視距離ｄにおいて、基準比率に相当する出力手段５の表示領域Ｒの画素数（判定基準画素数Ｎｍａｘ）を、以下の（２）式により算出する。なお、ｘ，ｙはそれぞれ表示領域Ｒの横画素数、縦画素数を示し、Ｓは表示領域Ｒの対角長（ｃｍ）、ｄは視距離（ｃｍ）を示している。
【００４７】
【数２】
2007194741.tif 000004
【００４８】
判定基準画素数記憶手段６５は、判定基準画素数算出手段６４によって算出された判定基準画素数を記憶するものであって、メモリ、ハードディスク等の一般的な記憶手段である。
【００４９】
大輝度差画素数累計手段６６は、フレームごとに、隣接フレームにおいて対応する画素の輝度値の差が、基準輝度差以上となる画素の数を大輝度差画素数として累計するものである。この大輝度差画素数は、不適正フレーム判定手段６７に出力される。
なお、ここでは、大輝度差画素数累計手段６６は、フレームメモリ３に記憶されている連続する２つのフレームにおいて、同一位置に対応する画素の輝度値の差が、基準輝度差（ここでは、２０ｃｄ／ｍ２）以上である画素を累計することで、大輝度差画素数とする。また、大輝度差画素数累計手段６６は、フレームの画素の画素値に基づいて、輝度値テーブル記憶手段６３に記憶されている輝度値テーブルを参照することで、その画素値に対応する輝度値を取得し、フレーム間における画素の輝度値の差を求める。
【００５０】
不適正フレーム判定手段６７は、判定基準画素数記憶手段６５に記憶されている判定基準画素数と、大輝度差画素数累計手段６６で累計された大輝度差画素数とを比較することで、視覚上不適正な輝度変化が存在するフレームを検出するものである。
すなわち、不適正フレーム判定手段６７は、大輝度差画素数が判定基準画素数よりも多い場合に、当該フレームが不適正フレームであると判定する。なお、当該フレームが不適正フレームであるか否かを示す情報は、不適正区間検出手段６８に出力される。
【００５１】
不適正区間検出手段６８は、不適正フレーム判定手段６７で不適正フレームとして判定されたフレームの数が、所定時間内に、予め定めた基準値である基準回数を超過するか否かを判定することで、光感受性発作を引き起こす可能性のある映像の時間区間（不適正映像区間）を検出するものである。
【００５２】
ここでは、不適正区間検出手段６８は、ＩＴＵ−Ｒ勧告ＢＴ．１７０２において基準とされている、点滅が１秒間に３回（輝度変化の回数で６回）以上生じているか否かにより不適正映像区間を検出することとする。
すなわち、不適正区間検出手段６８は、不適正フレーム判定手段６７で不適正フレームが発生したことを１秒間に６回以上通知される区間を不適正映像区間とする。例えば、映像信号がＮＴＳＣ信号の場合、フレーム周波数が３０Ｈｚであるため、３０フレームに６回以上通知される区間を不適正映像区間とする。
【００５３】
なお、不適正区間検出手段６８は、図示を省略したメモリ等において、不適正フレームの発生回数を記憶するとともに、不適正映像区間の開始フレーム及び終了フレームを設定することとする。この不適正映像区間の設定動作については、後記するフリッカ映像検出装置６の動作において詳細に説明することとする。
そして、不適正区間検出手段６８は、この不適正映像区間の開始フレーム及び終了フレームを示す情報を不適正映像区間情報として、出力制御手段７に出力する。
【００５４】
このようにフリッカ映像検出装置６を構成することで、視覚上不適正な輝度変化として予め定められている固定的な判定基準を、視聴者Ｈの実際の視聴環境に対応させることができる。これによって、実際の視聴環境において、光感受性発作を引き起こす可能性のある映像（あるいはその区間）を検出することができる。
なお、ここでは、視覚上不適正な輝度変化の判定を、ＩＴＵ−Ｒ勧告ＢＴ．１７０２に準拠することにより行ったが、これらの判定に用いた数値（基準表示領域の大きさ、基準視距離、基準輝度差、基準比率）は、他のガイドライン等に基づくものであってもよい。
【００５５】
また、フリッカ映像検出装置６は、一般的なコンピュータを、前記した各手段として機能させるフリッカ映像検出プログラムにより動作させることができる。
これによって、フリッカ映像検出プログラムは、パーソナルコンピュータ等の一般的なビデオバッファに記憶されている映像からも、光感受性発作を引き起こす可能性のある映像（あるいはその区間）を検出することができる。
【００５６】
以上、フリッカ映像検出装置６を備えた映像表示装置１の構成について説明したが、本発明はこの構成に限定されるものではない。
例えば、図４に示すように、映像表示装置１に距離計測手段８を備える映像表示装置１Ｂの構成としてもよい。
この図４に示した映像表示装置１Ｂは、距離計測手段８によって、視聴者との距離を計測し、その距離を視距離として、視環境パラメータ設定手段６０を介して視環境パラメータ記憶手段６１に記憶する。この距離計測手段８は、一般的な距離センサで構成することができる。
これによって、視環境パラメータを設定する際に、視聴者の操作を減らすことができるとともに、視聴中で視距離が変わったとしても、正確な視距離に基づいた検出を行うことができる。
【００５７】
また、図５に示すように、映像表示装置１に輝度測定手段９を備える映像表示装置１Ｃの構成としてもよい。
この図５に示した映像表示装置１Ｃは、輝度測定手段９によって、実際に出力手段５から出力される画素の輝度値を計測する。そして、輝度値特定手段６２によって、画素値に対する輝度値を輝度値テーブルとして輝度値テーブル記憶手段６３に記憶する。この輝度測定手段９は、一般的な輝度センサで構成することができる。
【００５８】
なお、輝度測定手段９は、すべての画素値に対する輝度値を計測する必要はない。例えば、輝度値特定手段６２が、未測定の輝度値を測定済みの輝度値から補間演算を行うことで、輝度値テーブルを生成する。
これによって、輝度値特定手段６２は、視環境パラメータのうち、最高輝度値Ｌｍａｘやガンマ値γが不明である場合であっても、画素値に対応する輝度値を得ることができる。
【００５９】
［映像表示装置（フリッカ映像検出装置）の動作］
次に、図６及び図７を参照（構成については、図２及び図３参照）して、映像表示装置１の動作について説明する。なお、ここでは、映像表示装置１において、本発明の特徴的な部分であるフリッカ映像検出装置６の動作について説明を行うこととする。図６は、本発明に係るフリッカ映像検出装置における不適正フレームを検出する動作を示すフローチャートである。図７は、本発明に係るフリッカ映像検出装置における不適正映像区間を検出する動作を示すフローチャートである。
【００６０】
（輝度値特定ステップ）
まず、フリッカ映像検出装置６は、視環境パラメータ設定手段６０によって、視聴者Ｈが映像表示装置１を視聴する際の環境を特定するためのパラメータ（視環境パラメータ）を設定し、視環境パラメータ記憶手段６１に記憶する（ステップＳ１）。ここでは、視環境パラメータを、最高輝度値Ｌｍａｘ、ガンマ値γ、表示領域Ｒの大きさ及び視距離ｄとする。
そして、フリッカ映像検出装置６は、輝度値特定手段６２によって、視環境パラメータ記憶手段６１に記憶されている最高輝度値及びガンマ値に基づいて、画素値に対する輝度値を算出することで（前記（１）式参照）、輝度値テーブルを生成し、輝度値テーブル記憶手段６３に記憶する（ステップＳ２）。
【００６１】
なお、このステップＳ１及びステップＳ２は、視聴者Ｈが映像を視聴するまでの準備段階であって、実際に視聴者が映像を視聴する際は、以下のステップＳ３以降の動作が映像表示中、順次行われる。また、以下の動作では、映像のフレーム周波数がＮ（Ｈｚ）であるものとして説明を行う。
【００６２】
（判定基準画素数算出ステップ）
さらに、フリッカ映像検出装置６は、判定基準画素数算出手段６４によって、視覚上不適正な輝度変化として予め定めた基準に基づいて、表示領域の大きさ及び視距離から、フレームが視覚上不適正な輝度変化を起こしているか否かの判定基準となる画素数（判定基準画素数）を算出する（ステップＳ３）。すなわち、フリッカ映像検出装置６は、ＩＴＵ−Ｒ勧告ＢＴ．１７０２で示されている基準である、視距離２ｍにおいて、表示領域の大きさが対角２５インチの表示装置で点滅領域が表示領域全体の２５％に相当する画素数が、視距離ｄにおいて、映像表示装置１の表示領域Ｒの何画素分に相当するのかを算出する（前記（２）式参照）。これによって、判定基準画素数は実際の視聴環境における判定基準となる。
【００６３】
（大輝度差画素数累計ステップ）
そして、フリッカ映像検出装置６は、映像信号がフレームメモリ３に再生された段階で、大輝度差画素数累計手段６６によって、フレームごとに、隣接フレームにおいて対応する画素の輝度値の差が、基準輝度差（２０ｃｄ／ｍ２）以上となる画素の数を大輝度差画素数として累計する（ステップＳ４）。
【００６４】
（不適正フレーム判定ステップ）
そして、フリッカ映像検出装置６は、不適正フレーム判定手段６７によって、ステップＳ３で算出された判定基準画素数と、ステップＳ４で累計されたフレーム内の大輝度差画素数とを比較することで、現在のフレームが不適正フレームであるか否かを判定する（ステップＳ５）。すなわち、不適正フレーム判定手段６７は、大輝度差画素数が判定基準画素数よりも多い場合、現在のフレームを、隣接フレーム間で不適正な輝度変化があった不適正フレームであると判定し、大輝度差画素数が判定基準画素数以下の場合、現在のフレームを不適正フレームではないと判定する。
【００６５】
以下、図７を参照して、不適正フレームの検出結果に基づいて、不適正映像区間を検出する動作について説明する。
フリッカ映像検出装置６は、現在のフレームを不適正フレームであると判定した場合（図６のステップＳ５でＹｅｓ）、不適正区間検出手段６８によって、Ｎフレーム以内に不適正フレームが７回発生したか否かを判定する（ステップ６）。
【００６６】
ここで、不適正フレームが７回発生した場合（ステップＳ６でＹｅｓ）、不適正区間検出手段６８は、不適正映像区間の開始フレームが設定されているか否かを判定し（ステップＳ７）、設定されていない場合（ステップＳ７でＮｏ）は、図示を省略したメモリに、Ｎフレーム以内の最初の不適正フレームを不適正映像区間の開始フレームとして設定する（ステップＳ８）。その後、図６のステップＳ３に戻って動作を続ける。
なお、ステップＳ６の判定において不適正フレームが７回発生していない場合（ステップＳ６でＮｏ）、又は、ステップＳ７においてすでに開始フレームが設定されている場合（ステップＳ７でＹｅｓ）は、フリッカ映像検出装置６は、図６のステップＳ３に戻って動作を続ける。
このステップＳ６からステップＳ８までの動作によって、連続するフレームにおいて、不適正映像区間の開始フレームが設定されることになる。
【００６７】
一方、フリッカ映像検出装置６は、現在のフレームを不適正フレームではないと判定した場合（図６のステップＳ５でＮｏ）、不適正区間検出手段６８によって、すでに図示を省略したメモリに、不適正映像区間の開始フレーム及び終了フレームが設定され、かつ、終了フレームがＮフレーム以内にないか否かを判定する（ステップＳ９）。
なお、この終了フレームがＮフレーム以内にないか否かを判定するのは、終了フレームがＮフレーム以内にある場合は、さらに、終了フレームが後ろにずれる可能性があるためである。
【００６８】
ここで、不適正映像区間の開始フレーム及び終了フレームが設定されていない、又は、終了フレームがＮフレーム以内にある場合（ステップＳ９でＮｏ）、不適正区間検出手段６８は、Ｎフレーム以内に不適正フレームが６回発生したか否かを判定する（ステップＳ１０）。
【００６９】
ここで、Ｎフレーム以内に不適正フレームが６回発生している場合（ステップＳ１０でＹｅｓ）、さらに、不適正区間検出手段６８は、不適正映像区間の開始フレームが設定されているか否かを判定し（ステップＳ１１）、設定されている場合（ステップＳ１１でＹｅｓ）は、図示を省略したメモリに、現在のフレームを不適正映像区間の終了フレームとして設定する（ステップＳ１２）。その後、図６のステップＳ３に戻って動作を続ける。
【００７０】
なお、ステップＳ１０においてＮフレーム以内に不適正フレームが６回発生していない場合（ステップＳ１０でＮｏ）、又は、ステップＳ１１において不適正映像区間の開始フレームが設定されていない場合（ステップＳ１１でＮｏ）は、フリッカ映像検出装置６は、図６のステップＳ３に戻って動作を続ける。
このステップＳ９からステップＳ１２までの動作によって、連続するフレームにおいて、不適正映像区間の終了フレームが設定されることになる。
【００７１】
一方、不適正映像区間の開始フレーム及び終了フレームが設定され、かつ、終了フレームがＮフレーム以内にない場合（ステップＳ９でＹｅｓ）、フリッカ映像検出装置６は、不適正区間検出手段６８によって、不適正映像区間の開始フレームと終了フレームを示す情報（例えば、フレーム番号等）を、不適正映像区間情報として出力する（ステップＳ１３）。そして、フリッカ映像検出装置６は、不適正区間検出手段６８によって、不適正映像区間として設定されている開始フレームと終了フレームの設定を解除する（ステップＳ１４）。
その後、フリッカ映像検出装置６は、図６のステップＳ３に戻って、映像信号がフレームメモリ３に再生される間動作を継続する。
【００７２】
以上の動作によって、フリッカ映像検出装置６は、視覚上不適正な輝度変化として予め定められている固定的な判定基準を、視聴者Ｈの実際の視聴環境に対応させて、視聴者Ｈにとって実際に視覚上不適正な輝度変化となるフレーム区間を検出することができる。
【００７３】
この後、映像表示装置１の出力制御手段７によって、不適正映像区間の出力を停止等する。これによって、映像表示装置１が表示する映像は、光感受性発作の発生を防止することができる。
【図面の簡単な説明】
【００７４】
【図１】本発明に係る映像表示装置の概要を説明するための説明図である。
【図２】本発明に係る映像表示装置の構成を示すブロック図である。
【図３】本発明に係るフリッカ映像検出装置の構成を示すブロック図である。
【図４】本発明に係るフリッカ映像検出装置の他の構成を示すブロック図である。
【図５】本発明に係るフリッカ映像検出装置の他の構成を示すブロック図である。
【図６】本発明に係るフリッカ映像検出装置における不適正フレームを検出する動作を示すフローチャートである。
【図７】本発明に係るフリッカ映像検出装置における不適正映像区間を検出する動作を示すフローチャートである。
【符号の説明】
【００７５】
１      映像表示装置
２      Ａ／Ｄ変換手段
３      フレームメモリ
４      Ｄ／Ａ変換手段
５      出力手段
６      フリッカ映像検出装置
６０    視環境パラメータ設定手段
６１    視環境パラメータ記憶手段
６２    輝度値特定手段
６３    輝度値テーブル記憶手段
６４    判定基準画素数算出手段
６５    判定基準画素数記憶手段
６６    大輝度差画素数累計手段
６７    不適正フレーム判定手段
６８    不適正区間検出手段
７      出力制御手段
８      距離計測手段
９      輝度測定手段
【図１】
2007194741.tif 000005
【図２】
2007194741.tif 000006
【図３】
2007194741.tif 000007
【図４】
2007194741.tif 000008
【図５】
2007194741.tif 000009
【図６】
2007194741.tif 000010
【図７】
2007194741.tif 000011